(57)【要約】【課題】ホーンスピーカにおいて中心のイコライザ部に電動ズームレンズ付ＩＴＶカメラを組込んだホーンスピーカ。本発明による拡声、集音および映像による監視を可能とするシステムヘの応用。本機器を構成するシステムにおいて別途、従来のＩＴＶカメラは不要とできる。【解決手段】ホーンスピーカイコライザ内にＩＴＶカメラ用レンズ、ＩＴＶカメラ本体を収納し、イコライザ部全面にレンズ用開口部を設ける。そして、映像出力、外部制御用端子およびＡＣ入カケーブルは、接栓部に設ける。カメラで撮像した映像は、映像出力から出力する。また、ホ―ンスピーカは独立して、本来の集音或いは拡声の動作を行う。【選択図】  図１
2004274534.tif 000002
【特許請求の範囲】
【請求項１】
音を集音及び拡声するホーンスピーカにおいて、
イコライザ部と、
上記イコライザ部内に組み込まれたＩＴＶカメラとを備えたことを特徴とするＩＴＶカメラ内蔵ホーンスピーカ。
【請求項２】
監視視野内の音源から音を集音しかつ該監視視野内に音を出力するホーンスピーカのイコライザ部内に該監視視野内の被写体の映像を撮像するＩＴＶカメラを組み込んだＩＴＶカメラ内蔵ホーンスピーカと、
上記ＩＴＶカメラ内蔵ホーンスピーカと結合し、上記撮像された映像を表示するビデオモニタと、
上記ホーンスピーカの音を処理する音処理部とを備え、
上記音源と上記被写体が略同一線上になることを特徴とする監視システム。
【発明の詳細な説明】
【０００１】
【発明の属する技術分野】
本発明は、視野内の拡声、集音、及び被写体の映像の取得を行い、監視を行う監視システムに関わる。
【０００２】
【従来の技術】
従来は、図２に一例を示すように、監視カメラ設置場所において、ＩＴＶカメラとスピーカとを個別に設置していた。
図２において、拡声、集音、及び映像による、監視を行う場合、監視視野内の侵入物（例えば、被写体  ２０１  ）をホーンスピーカ  ２０４  及びＩＴＶカメラ  ２０２  の両方の機器を組合せてシステム構築を行っていた。このため、少なくとも２個の機器を設置するため、設置場所を広く確保する必要性があることと機器コストが高くなる問題があった。
また、図２では、ＩＴＶカメラ  ２０２  の映像を表示するためのビデオモニタ  ２０３  と出力または集音された音を増幅等の音声処理を行うアンプ等の音処理部  ２０５を備える。
ホーンスピーカとＩＴＶカメラを使用して監視視野内の音源からの音の集音、及び、監視視野内への音の拡声等の出力、並びに監視視野内の被写体映像の撮像を行って監視視野内を監視するシステムについての先行特許文献は発見できなかった。
【０００３】
【発明が解決しようとする課題】
上述の従来技術では、拡声、集音、及び映像による監視を行う場合、少なくとも２個の機器を設置するため、設置場所の面積を広く確保する必要性があることと機器コストが高くなる欠点があった。
本発明の目的は、上記のような欠点を除去し、設置場所の面積の小さい、機器コストを低減した監視システムを提供することにある。
【０００４】
【課題を解決するための手段】
上記の目的を達成するため、本発明のホーンスピーカは、ホーンスピーカのイコライザ部の内部にオートアイリスおよびオートフォーカス機能付小型電動ズームレンズと小型ＩＴＶカメラを組込んだものである。
更に、ホーンスピーカは、本発明のイコライザ部の形状および大きさを変えない。このため音出力機能、集音機能、等の性能に影響を与えないものである。
更に、ホーンスピーカを用いた監視システムは、端子部  映像出力（ＢＮＣ座）、制御部コネクタおよび電源（例えば、ＡＣ１００Ｖ）入カケーブルを音声端子の近傍に設けたものである。
【０００５】
即ち、本発明のＩＴＶカメラ内蔵ホーンスピーカは、音を集音及び拡声するホーンスピーカにおいて、イコライザ部と、イコライザ部内に組み込まれたＩＴＶカメラとを備えたものである。
また、本発明のＩＴＶカメラ内蔵ホーンスピーカは、ＩＴＶカメラのズームレンズが電動ズームレンズであることを特徴とする。
更に、本発明の監視システムは、監視視野内の音源から音を集音しかつ該監視視野内に音を出力するホーンスピーカのイコライザ部内に該監視視野内の被写体の映像を撮像するＩＴＶカメラを組み込んだＩＴＶカメラ内蔵ホーンスピーカと、ＩＴＶカメラ内蔵ホーンスピーカと結合し上記撮像された映像を表示するビデオモニタと、ホーンスピーカの音を処理する音処理部とを備え、音源と被写体が略同一線上になることによって的確な監視が可能なことを特徴とする監視システムである。
【０００６】
【発明の実施の形態】
図１は、本発明の一実施例のホーンスピーカの構成を示す断面図である。
図１に示すように、ホーンスピーカ本体  １０１  のイコライザ部  １０２  内にＩＴＶカメラ用レンズ  １０４  とＩＴＶカメラ本体  １０５  を収納する。更に、ホーンスピーカイコライザ部  １０２  前面にレンズ用開口  １０３  を設ける。映像出力、外部制御用端子およびＡＣ入カケーブル  １０７  は、接栓部  １０６  に設ける。図１に示すように、レンズ用開口  １０３  のＩＴＶカメラ用レンズ  １０４  より取込んだ映像は収納されたカメラ部（ＩＴＶカメラ本体  １０５  ）から接線部  １０６  を介して出力する。
ホーンスピーカ  １０１  は、カメラ動作にかかわらず、本来の集音或いは拡声動作する。また、図１のように、集音と拡声出力口であるホーンスピーカ本体  １０１の前面とレンズ開口部  １０３  とは略一直線になっており、監視視野内の音源から音を集音する場合に、音源と撮像視野方向とがほぼ一直線となる構成になっている。
【０００７】
図３は、本発明の、図１のホーンスピーカを用いた監視システムの一実施例を示すブロック図である。
図３に示すように、本発明のＩＴＶカメラを内蔵したホーンスピーカ  ２０６で構成することにより、本発明機器でそれぞれの持つ拡声音等の出力、集音、及び映像、による監視機能を１台の機器で兼ね備えることが可能となる。また、音源と監視したい被写体  ２０１  が同一線上にあるため的確な監視及び拡声並びに集音を行うことができる。
【０００８】
上記実施例において、ＩＴＶカメラのズームレンズは電動ズームレンズであっても良く、図示しない操作器によってズーム操作するか、または、自動切換えによってズーム動作させても良い。
【０００９】
【発明の効果】
以上説明したように、本発明の拡声、集音および映像による監視を行う場合、ホーンスピーカとＩＴＶカメラの両方の機器を組合せてシステム構築を行っていたものは、本発明機器１個で対応可能となる。
また、音源と監視したい被写体が同一線上にあるため的確な監視及び拡声並びに集音を行うことができる。
【図面の簡単な説明】
【図１】本発明の一実施例のホーンスピーカの構造を示す断面図。
【図２】従来の監視システムの構成を示すブロック図。
【図３】本発明の監視システムの一実施例の構成を示すブロック図。
【符号の説明】
１０１：ホーンスピーカ本体、  １０２：スピーカイコライザ部、  １０３：レンズ開口部、  １０４：ＩＴＶカメラ用レンズ、  １０５：ＩＴＶカメラ本体、  １０６：接栓部、  １０７：ＡＣ入力ケーブル、  ２０１：被写体、  ２０２：ＩＴＶカメラ、  ２０３：ビデオモニタ、  ２０４：ホーンスピーカ、  ２０５：音処理部、  ２０６：ホーンスピーカ。
【図１】
2004274534.tif 000003
【図２】
2004274534.tif 000004
【図３】
2004274534.tif 000005